(57)【要約】      （修正有）【課題】保持された複数のケーブルの交換作業やレイアウト変更作業等が容易に行える安価なケーブル保持構造及びそのケーブル保持構造を備えた配線構造並びにその配線構造を備えた電子機器を提供すること。【解決手段】同一方向に延びる複数のケーブル1、2、3、4、5を平行かつ平面的に配列可能なケーブル保持部11、12、13、14、15、16、17、18、19、20がハウジング161a、101aと一体成形されている。これにより、ハウジングを形成するときにケーブル保持部も同時に形成することができるので、コストの上昇を抑えることができる。更に、ケーブル保持部に保持された複数のケーブルから数本のケーブルを直接抜き取って当該ケーブルの交換若しくはレイアウト変更等を行うことができるので、作業効率を向上させることができる。更に、ケーブル間で電気的な影響が大きい場合でも互いに分離配置できるので、当該電気的影響を低減することができる。【選択図】図４
2008074060.tif 000002
【特許請求の範囲】
【請求項１】
同一方向に延びる複数のケーブルを平行かつ平面的に配列可能なケーブル保持部がハウジングと一体成形されていることを特徴とするケーブル保持構造。
【請求項２】
前記ケーブル保持部は、溝状に形成され、当該溝上部にケーブル押さえが設けられていることを特徴とする請求項１に記載のケーブル保持構造。
【請求項３】
更に、前記ケーブル若しくは他のケーブルの前記ハウジング内における引き回し時に当該ケーブルを係止する係止用フック及び係止用リブが前記ハウジングと一体成形されていることを特徴とする請求項１又は２に記載のケーブル保持構造。
【請求項４】
前記係止用フックは、断面形状が逆Ｌ字状に形成されていることを特徴とする請求項３に記載のケーブル保持構造。
【請求項５】
前記係止用リブは、前記ケーブルの両側を挟み込むように設けられていることを特徴とする請求項３又は４に記載のケーブル保持構造。
【請求項６】
前記係止用リブは、ケーブル挟持面に突起が設けられていることを特徴とする請求項５に記載のケーブル保持構造。
【請求項７】
電子機器に使用されるケーブルの配線構造であって、
請求項１〜６の何れか一項に記載のケーブル保持構造を備えたことを特徴とする配線構造。
【請求項８】
請求項７に記載の配線構造を備えたことを特徴とする電子機器。
【発明の詳細な説明】
【技術分野】
【０００１】
本発明は、ケーブルを保持するケーブル保持構造及びそのケーブル保持構造を備えた配線構造並びにその配線構造を備えた電子機器に関する。
【背景技術】
【０００２】
電子機器内にて引き回されるケーブルを保持する構造として、複数のケーブルを分離して並行に支持する支持部が設けられた板状に延びる本体を電子機器内に取り付ける構成のものが提案されている（特許文献１参照）。
【０００３】
【特許文献１】特開２００５−１２５５５９号公報
【発明の開示】
【発明が解決しようとする課題】
【０００４】
上述した従来のケーブル保持構造では、支持部が設けられた本体を別部材として製作する必要があるため、部品コストが上昇するという問題がある。また、本体の支持部に支持された複数のケーブルから数本のケーブルの交換若しくはレイアウト変更等を行う場合、本体ごと取外す必要があるため、作業効率が悪いという問題がある。
【０００５】
本発明は、上記のような課題に鑑みなされたものであり、その目的は、保持された複数のケーブルの交換作業やレイアウト変更作業等が容易に行える安価なケーブル保持構造及びそのケーブル保持構造を備えた配線構造並びにその配線構造を備えた電子機器を提供することにある。
【課題を解決するための手段】
【０００６】
上記目的達成のため、本発明のケーブル保持構造では、同一方向に延びる複数のケーブルを平行かつ平面的に配列可能なケーブル保持部がハウジングと一体成形されていることを特徴としている。これにより、ハウジングを形成するときにケーブル保持部も同時に形成することができるので、コストの上昇を抑えることができる。更に、ケーブル保持部に保持された複数のケーブルから数本のケーブルを直接抜き取って当該ケーブルの交換若しくはレイアウト変更等を行うことができるので、作業効率を向上させることができる。更に、ケーブル間で電気的な影響が大きい場合でも互いに分離配置できるので、当該電気的影響を低減することができる。
【０００７】
また、前記ケーブル保持部は、溝状に形成され、当該溝上部にケーブル押さえが設けられていることを特徴としている。これにより、ケーブルのケーブル保持部に対する取付け作業若しくは取外し作業を容易に行うことができる。また、更に、前記ケーブル若しくは他のケーブルの前記ハウジング内における引き回し時に当該ケーブルを係止する係止用フック及び係止用リブが前記ハウジングと一体成形されていることを特徴としている。これにより、ハウジング内におけるケーブルの配線を整理することができる。
【０００８】
また、前記係止用フックは、断面形状が逆Ｌ字状に形成されていることを特徴としている。これにより、ケーブルを係止用フックに容易に係止及び係止解除することができる。また、係止用リブは、前記ケーブルの両側を挟み込むように設けられていることを特徴としている。これにより、ケーブルを係止用リブに容易に係止及び係止解除することができる。また、前記係止用リブは、ケーブル挟持面に突起が設けられていることを特徴としている。これにより、ケーブルの係止用リブからの抜けを防止することができる。
【０００９】
上記目的達成のため、本発明の配線構造は、電子機器に使用されるケーブルの配線構造であって、上記各ケーブル保持構造を備えたことを特徴としている。また、上記目的達成のため、本発明の電子機器は、上記配線構造を備えたことを特徴としている。これにより、上記各作用効果を奏する配線構造又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係るケーブル保持構造を備えた電子機器である記録装置の外観構成の全体を示す斜視図である。この記録装置はプリンタ、コピー及びスキャナの機能を有するインクジェット式複合機１００である。このインクジェット式複合機１００は、全体が略直方体状のハウジング１０１で覆われている。そして、ハウジング１０１の上面における前面側には操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面にはスキャナ１６０が配設されている。このハウジング１０１の内部に本実施形態のケーブル保持構造１０（図３等参照）が設けられている。尚、このケーブル保持構造１０の詳細は後述する。
【００１２】
操作部１１０は、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１３】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１４】
ディスクスロット部１３０は、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１５】
給紙部１４０は、上方に向かって矩形状に開口した給紙口１４１に伸縮自在に設けられ、給紙する用紙を１枚若しくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１６】
排紙部１５０は、前方に向かって矩形状に開口した排紙口１５１を開閉する機能と、排紙される用紙を１枚若しくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００１７】
スキャナ１６０は、扁平直方体状のスキャナハウジング１６１と、平板状のスキャナカバー１６２を備えている。スキャナハウジング１６１は、内部に棒状のＣＣＤ（Ｃｈａｒｇｅ  Ｃｏｕｐｌｅｄ  Ｄｅｖｉｃｅ）が前面側から背面側に延びるように配置され、図示しないスキャナモータとベルト機構により幅方向に往復移動可能に配設されている。そして、後端の回転軸を中心に図示矢印ｃ方向に回動可能に取り付けられている。スキャナカバー１６２は、スキャナハウジング１６１の上面に取り付けられている図示しないスキャナ用ガラスを覆うように配置され、後端の回転軸を中心に図示矢印ｃ方向に回動可能に取り付けられている。ユーザは、スキャナ１６０を使用するときは、スキャナカバー１６２を開いて原稿をスキャナ用ガラス上に載置し、スキャナカバー１６２を閉じてスイッチをオンさせれば良いので、容易にスキャニング作業を行うことができる。次に、本発明の特徴的な部分であるケーブル保持構造１０について、更に図を参照して説明する。
【００１８】
図２は、インクジェット式複合機１００のスキャナ１６０を開いた状態を示す斜視図、図３は、ハウジング１０１内に設けられたケーブル保持構造１０を示す斜視図、図４〜図６は、ケーブル保持構造１０の詳細を示す斜視図である。このケーブル保持構造１０は、図２に示すスキャナハウジング１６１の底面１６１ａに形成されている図示しないスキャナモータが内蔵されたモータカバー１６１ｂの内部と、図２に示すスキャナ１６０で覆われるハウジング１０１の天面１０１ａのうち図示左側のケーブルカバー１０１ｂの下部と、図２に示すメモリカードスロット部１２０とディスクスロット部１３０の下部にそれぞれ設けられている。
【００１９】
モータカバー１６１ｂの内部のスキャナハウジング１６１には、図４に示すように、４本のビニールケーブル１、２、３、４を保持するケーブル保持部１１、１２、１３、１４と１本のフレキシブルフラットケーブル５を保持するケーブル保持部１５が設けられている。ケーブル保持部１１、１２、１３、１４、１５は、同一方向に延びる４本のビニールケーブル１、２、３、４と１本のフレキシブルフラットケーブル５を平行かつ平面的に配列可能な溝状に形成され、且つスキャナハウジング１６１と一体成形されている。このような構成により、スキャナハウジング１６１を形成するときにケーブル保持部１１、１２、１３、１４、１５も同時に形成することができるので、コストの上昇を抑えることができる。更に、ケーブル保持部１１、１２、１３、１４、１５に保持されたビニールケーブル１、２、３、４及びフレキシブルフラットケーブル５から任意のケーブルを直接抜き取って当該ケーブルの交換若しくはレイアウト変更等を行うことができるので、作業効率を向上させることができる。更に、ケーブル間で電気的な影響が大きい場合でも互いに分離配置できるので、当該電気的影響を低減することができる。
【００２０】
また、ケーブル保持部１１、１３、１４を構成する溝壁のうち、図示右側の溝壁１１ａ、１３ａ、１４ａの頂部には、溝側に突出する爪状のケーブル押さえ１１ｃ、１３ｃ、１４ｃが溝方向に所定間隔で２つ形成されている。また、ケーブル保持部１５を構成する両側の溝壁１５ａ、１５ｂの頂部には、溝側に突出する爪状のケーブル押さえ１５ｃが溝方向に所定間隔ずらして２つ形成されている。このような構成により、ビニールケーブル１、３、４及びフレキシブルフラットケーブル５のケーブル保持部１１、１３、１４、１５からの抜けを防止することができる。また、ビニールケーブル１、３、４及びフレキシブルフラットケーブル５のケーブル保持部１１、１３、１４、１５に対する取付け作業若しくは取外し作業は、ケーブル押さえ１１ｃ、１３ｃ、１４ｃ、１５ｃに対し嵌め込み若しくは抜き取れば良いので、当該作業を容易に行うことができる。尚、ケーブル保持部１２は、ケーブル保持部１１の図示右側の溝壁１１ａとケーブル保持部１３の図示左側の溝壁１３ｂとにより、ビニールケーブル２の径と略同一の幅で形成されており、ケーブル押さえを設けなくてもケーブル抜けは生じないため、ケーブル押さえは形成されていない。
【００２１】
ケーブルカバー１０１ｂの下部のハウジング１０１には、図３及び図４に示すように、上記ケーブル保持部１１、１２、１３、１４、１５から延びる４本のビニールケーブル１、２、３、４を保持するケーブル保持部１６、１７、１８、１９と１本のフレキシブルフラットケーブル５を保持するケーブル保持部２０が設けられている。ケーブル保持部１６、１７、１８、１９、２０も、同一方向に延びる４本のビニールケーブル１、２、３、４と１本のフレキシブルフラットケーブル５を平行かつ平面的に配列可能な溝状に形成され、且つハウジング１０１と一体成形されている。このような構成により、ハウジング１０１を形成するときにケーブル保持部１６、１７、１８、１９、２０も同時に形成することができるので、コストの上昇を抑えることができる。更に、ケーブル保持部１６、１７、１８、１９、２０に保持されたビニールケーブル１、２、３、４及びフレキシブルフラットケーブル５から任意のケーブルを直接抜き取って当該ケーブルの交換若しくはレイアウト変更等を行うことができるので、作業効率を向上させることができる。更に、ケーブル間で電気的な影響が大きい場合でも互いに分離配置できるので、当該電気的影響を低減することができる。
【００２２】
また、ケーブル保持部１６、１８、１９、２０を構成する両側の溝壁１６ａ、１６ｂ；１８ａ、１８ｂ；１９ａ、１９ｂ；１９ｂ、２０ｂの頂部には、溝側に突出する爪状のケーブル押さえ１６ｃ、１８ｃ、１９ｃ、２０ｃが溝方向に所定間隔ずらして５つ、即ち交互に形成されている。このような構成により、ビニールケーブル１、３、４及びフレキシブルフラットケーブル５のケーブル保持部１６、１８、１９、２０からの抜けを防止することができる。また、ビニールケーブル１、３、４及びフレキシブルフラットケーブル５のケーブル保持部１６、１８、１９、２０に対する取付け作業若しくは取外し作業は、ケーブル押さえ１６ｃ、１８ｃ、１９ｃ、２０ｃに対し嵌め込み若しくは抜き取れば良いので、当該作業を容易に行うことができる。尚、ケーブル保持部１７は、ケーブル保持部１６の図示右側の溝壁１６ａとケーブル保持部１８の図示左側の溝壁１８ｂとにより、ビニールケーブル２の径と略同一の幅で形成されており、ケーブル押さえを設けなくてもケーブル抜けは生じないため、ケーブル押さえは形成されていない。
【００２３】
メモリカードスロット部１２０とディスクスロット部１３０の下部のハウジング１０１には、図３及び図５に示すように、複数本のビニールケーブル６の引き回し時に当該ビニールケーブル６を係止する４つの係止用フック２１、２２、２３、２４と１つの係止用リブ２５が上方に向かって突設されている。更に、図３及び図６に示すように、３本のビニールケーブル７、８、９の引き回し時に当該ビニールケーブル７、８、９を係止する４つの係止用フック２６、２７、２８、２９と１つの係止用リブ３０が上方に向かって突設されている。係止用フック２１、２２、２３、２４、２６、２７、２８、２９は、ハウジング１０１に対し垂直な断面形状が逆Ｌ字状となるように一体成形されており、このＬ字外側からＬ字内側に、若しくはＬ字内側からＬ字外側にビニールケーブル６、７、８、９を回し込むことにより当該ビニールケーブル６、７、８、９の取り付け若しくは取外しを容易に行うことができる。従って、当該作業効率を向上させることができる。
【００２４】
係止用リブ２５、３０は、対向するリブ壁２５ａ、２５ｂ、３０ａ、３０ｂで成り、リブ壁２５ａ、２５ｂ間及びリブ壁３０ａ、３０ｂ間に形成されるケーブル経路にビニールケーブル６及び７、８、９を嵌め込み若しくは抜き取ることにより当該ビニールケーブル６及び７、８、９の取り付け若しくは取外しを容易に行うことができる。従って、当該作業効率を向上させることができる。更に、係止用リブ２５、３０は、一方のリブ壁２５ａ、３０ａにおける他方のリブ壁２５ｂ、３０ｂとの対向面に突起２５ｃ、３０ｃが突設されており、嵌め込まれたビニールケーブル６、７、８、９に食い込むようになっている。これにより、係止用リブ２５、３０からのビニールケーブル６、７、８、９の抜けを防止することができる。このような構成により、ハウジング１０１を形成するときに係止用フック２１、２２、２３、２４、２６、２７、２８、２９と係止用リブ２５、３０も同時に形成することができるので、コストの上昇を抑えることができる。更に、ハウジング１０１内におけるビニールケーブル６、７、８、９の配線を整理することができる。
【００２５】
以上のように、本実施形態のケーブル保持構造１０によれば、ハウジング１０１やスキャナハウジング１６１に一体成形されたケーブル保持部１１、１２、１３、１４、１５、１６、１７、１８、１９、２０、係止用フック２１、２２、２３、２４、２６、２７、２８、２９及び係止用リブ２５、３０にビニールケーブルやフレキシブルフラットケーブルを引っ掛ける作業のみで良いので、特殊な別部品、例えばホルダや接着テープ等を必要とせず、ケーブル配線やそのリワーク等を容易に行うことができる。また、ケーブル保持個所が限定されるので、作業者間でのケーブル配線のバラツキは発生し難くなる。尚、上述した実施形態で説明したケーブル保持部１１、１２、１３、１４、１５、１６、１７、１８、１９、２０、係止用フック２１、２２、２３、２４、２６、２７、２８、２９及び係止用リブ２５、３０の配置箇所や配置個数は限定されるものでは無く、任意の配置箇所や配置個数としても良い。
【産業上の利用可能性】
【００２６】
ケーブル保持構造を備えた電子機器であれば、例えばファクシミリ装置、コピー装置、スキャナ等の記録装置を含む一般的な電子機器であっても適用可能である。
【図面の簡単な説明】
【００２７】
【図１】本発明の一実施の形態に係るケーブル保持構造を備えた電子機器である記録装置の外観構成の全体を示す斜視図である。
【図２】図１の記録装置のスキャナを開いた状態を示す斜視図である。
【図３】図２のハウジング内に設けられたケーブル保持構造を示す斜視図である。
【図４】図３のケーブル保持構造の詳細を示す第１の斜視図である。
【図５】図３のケーブル保持構造の詳細を示す第２の斜視図である。
【図６】図３のケーブル保持構造の詳細を示す第３の斜視図である。
【符号の説明】
【００２８】
１、２、３、４、６、７、８、９  ビニールケーブル、５  フレキシブルフラットケーブル、１０  ケーブル保持構造、１１、１２、１３、１４、１５、１６、１７、１８、１９、２０  ケーブル保持部、２１、２２、２３、２４、２６、２７、２８、２９  係止用フック、２５、３０  係止用リブ、１００  インクジェット式複合機、１０１  ハウジング、１１０  操作部、１２０  メモリカードスロット部、１３０  ディスクスロット部、１４０  給紙部、１５０  排紙部、１６０  スキャナ、１６１  スキャナハウジング
【図１】
2008074060.tif 000003
【図２】
2008074060.tif 000004
【図３】
2008074060.tif 000005
【図４】
2008074060.tif 000006
【図５】
2008074060.tif 000007
【図６】
2008074060.tif 000008